(57)【特許請求の範囲】
【請求項１】
遊技機が固定される外周枠の下側の部材である下枠材を、前記外周枠が載置される島のテーブルに固定するために用いられるものであり、
前記テーブルに固定されるベースと、
前記ベースにその基端が取付けられるとともに、その先端を上下動させられるようになっていることで、前記下枠材を着脱自在に固定するアームと、
その操作により前記アームを上下動させる、前記ベースに取付けられた操作手段と、
前記ベースに対してその基端が取付けられているとともに、その先端を前記ベースに対して前後動させられるようになっており、前記外周枠の前記下枠材をその先端に当接させることで前記外周枠を位置決めできるようになっている位置決め手段と、
を備えている外周枠固定装置であって、
前記位置決め手段に当接していた前記下枠材が前記位置決め手段から離れたことを検出する検出手段を備えている、
外周枠固定装置。
【請求項２】
前記検出手段は、前記位置決め手段に設けられている、
請求項１記載の外周枠固定装置。
【請求項３】
前記検出手段は、前記島の外部に存在し、前記下枠材が前記位置決め手段から離れたことをユーザに五感で感知可能に通知する通知装置と接続されており、前記検出手段は、前記下枠材が前記位置決め手段から離れたことを検出した場合その旨の信号を前記通知装置に送るように、前記通知装置は当該信号を受付けたときに前記下枠材が前記位置決め手段から離れたことをユーザに通知するようになっている、
請求項１記載の外周枠固定装置。
【請求項４】
前記下枠材との固定をなす固定手段を備えている、
請求項１記載の外周枠固定装置。
【請求項５】
前記固定手段は、前記下枠材を一周する線状体を含む、
請求項４記載の外周枠固定装置。
【請求項６】
前記線状体は、その一端にループを備えているとともに、
前記ベースには、前記線状体の他端付近を前記線状体を貫通させた状態で、前記線状体の前記他端方向への移動のみを許容しつつ保持する保持筒と、前記ループの中に挿入された状態で前記ループを係止する突出部とが設けられており、
その先端に前記下枠材を一周させた前記線状体の先端の前記ループを前記突出部に係止させた状態で、前記線状体の他端を前記線状体の他端方向へ引くことによって、前記下枠材との固定がなされるようになっている、
請求項５記載の外周枠固定装置。
【発明の詳細な説明】
【技術分野】
【０００１】
本発明は、一般に「島」と呼ばれる遊技機設置台ユニットにパチンコ遊技機の外周枠を取付けるための取付け技術に関する。
【背景技術】
【０００２】
パチンコ遊技機は、一般的に、島と呼ばれる遊技機設置台ユニットに取付けて使用される。より詳細には、パチンコ遊技機は、通常は４枚の板材を矩形に組み合わせて作られる所定幅の外周枠の内側に固定された後、その外周枠を島に固定することにより、島に取付けられる。
従来、外周枠の島への取付けは、島のテーブルの上に外周枠を載置した上で、島が木製であるのが通常であるということもあり、釘や木ねじ等を用いて行っている。
【０００３】
しかしながら、釘や木ねじを使用して行う従来の外周枠の島への固定は、外周枠を島へ固定する際にも、また、一度島へ固定した外周枠を島から取り外す際にも手間がかかる。パチンコ遊技機は、一定期間ごとに新しいパチンコ遊技機に入れ替えられるものであり、また島に取付けられた後においてもその傾斜角度の調整などのために島から取り外しが必要となる場合もあるので、外周枠の島への固定、取外しの手間はばかにならない。
【０００４】
このような点を考慮して、本願出願人は、特開２０１１−１０４０９１、特開２０１０−２６９０８８などの出願を行っている。これらに開示の外周枠固定装置はいずれも、外周枠の島への固定、或いは島からの取り外しを容易ならしめるものである。
【０００５】
これら外周枠固定装置は、そのいずれもが外周枠の下側の部材の固定を行うものとなっており、その構造は、大まかにいうと以下のようなものである。
外周枠は島に固定されるが、外周枠の下側の部材は、島に固定された略水平な板であるテーブルの上に載置された状態で、島のテーブルに固定される。
外周枠固定装置は、そのテーブルに固定されるベースを備えている。ベースには、外周枠を固定するためのアームの基端が取付けられている。また、ベースには、アームを操作するための手段の一例となるレバーの基端が設けられており、レバーを回動させることにより、アームをその基端を中心として回動させられるようになっている。
アームは以下のようになっている。特開２０１１−１０４０９１のアームは、レバーを動かした場合にその基端を中心として所定の範囲で回動して、その先端に着目すれば上下に動くようになっており、アームが下方に降りて来たときにその先端下面についた突起を外周枠の下側の部材の上側の面に食い込ませることによって、外周枠の固定をなすようになっている。他方、特開２０１０−２６９０８８のアームも、レバーを動かした場合にその基端を中心として所定の範囲で回動して、その先端に着目すれば上下に動くようになっており、アームが上方に上がったときにその先端上面についた突起を外周枠の下側の部材の下側の面に食い込ませることによって、外周枠の固定をなすようになっている。なお、特開２０１０−２６９０８８の外周枠固定装置を使用する場合には、アームを移動させるスペースを確保するため、テーブルにアームが移動することができるような穴、乃至溝を設けることとしている。
他方、外周枠固定装置の外周枠の下側の部材と面する面には、外周枠の下側の部材に対して前後動でき且つ任意の位置で固定できる位置決め部材が取付けられている。位置決め部材は、外周枠の下側の部材に当接して用いられるものであり、そうすることによって島乃至テーブルに対する外周枠乃至遊技機の相対的な位置決めを行えるようになっている。外周枠固定装置でレバーを操作してアームにより外周枠を固定する場合には、予め位置決め部材に外周枠を当接させて外周枠を適当な位置に位置決めすることにより、アームによって固定された外周枠の位置が所望の位置に位置するようにする。
このような外周枠固定装置は、レバーの操作によってアームにより外周枠を固定し、またその固定を解除できるため、外周枠の島への固定、或いは島からの取り外しを容易に行えるようにできる点で価値が高い。
【発明の概要】
【発明が解決しようとする課題】
【０００６】
しかしながら、以上のような外周枠固定装置にも改良すべき点がないとはいえない。
位置決め部材を用いて外周枠固定装置を正しい位置に固定したとしても、その後何らかの事情により外周枠の位置がずれることがあり得る。外周枠の位置の変化は、その中に固定された遊技機の盤面の傾斜の変化を生じるが遊技機の盤面の傾斜角は、玉と釘がどの程度絡むかということに効いてくるため、外周枠の位置が変化することは許容できない。例えば、不正をはたらく遊技者が遊技機に衝撃を与えて、外周枠ごと遊技機の位置をずらすようなこともあり得るため、外周枠の位置のずれが生じた場合には、ホールの関係者はいち早くそのことを察知して、当該外周枠の位置を正しい位置に戻すか、少なくともその外周枠に固定された遊技機を使用できないようにしたい。
【０００７】
しかしながら、そのようなことを実現可能にする技術は今のところ存在しないというのが現状である。
【０００８】
本発明は、外周枠固定装置を、外周枠の位置の変化が生じた場合にそれを検出できるように改良することを目的とする。
【課題を解決するための手段】
【０００９】
本願発明者は、上述の課題を解決するために、以下のような外周枠固定装置を提案する。
本願の外周枠固定装置は、遊技機が固定される外周枠の下側の部材である下枠材を、前記外周枠が載置される島のテーブルに固定するために用いられるものである。そして、外周枠固定装置は、前記テーブルに固定されるベースと、前記ベースにその基端が取付けられるとともに、その先端を上下動させられるようになっていることで、前記下枠材を着脱自在に固定するアームと、その操作により前記アームを上下動させる、前記ベースに取付けられた操作手段と、前記ベースに対してその基端が取付けられているとともに、その先端を前記ベースに対して前後動させられるようになっており、前記外周枠の前記下枠材をその先端に当接させることで前記外周枠を位置決めできるようになっている位置決め手段と、を備えている。また、本願の外周枠固定装置は、前記位置決め手段に当接していた前記下枠材が前記位置決め手段から離れたことを検出する検出手段を備えている。
本願の外周枠固定装置は、位置決め手段に当接していた前記下枠材が前記位置決め手段から離れたことを検出する検出手段を備えているので、位置決め手段から外周枠が離れたこと、即ち外周枠の位置が変化したことを検出することができる。かかる検出結果を知ることにより、ホールの関係者は、外周枠の位置のずれが生じた場合には、それを知ることができる。
【００１０】
本願発明における検出手段は、外周枠固定装置のどこに設けられていても構わないが、例えば、前記位置決め手段に設けられていてもよい。位置決め手段は、外周枠の下枠材と接触する部分を備えるので、その近辺に検出手段を設けることにより外周枠が位置決め手段から離れたことを検出するのが容易となる。
【００１１】
検出手段は、前記島の外部に存在し、前記下枠材が前記位置決め手段から離れたことをユーザに五感で感知可能に通知する通知装置と接続されていてもよい。この場合、前記検出手段は、前記下枠材が前記位置決め手段から離れたことを検出した場合その旨の信号を前記通知装置に送るように、前記通知装置は当該信号を受付けたときに前記下枠材が前記位置決め手段から離れたことをユーザに通知するようにすることができる。
このような通知装置と外周枠固定装置を組合せることで、例えばリアルタイムで、ホールの関係者に外周枠の位置がずれたことを知らせられるようになる。
通知装置は、例えば、島に固定されていてもよく、或いは、遊技機の管理等を行うための島のある部屋とは異なる部屋に置かれていてもよい。
また、通知装置の行う通知は、例えば、ランプの点灯、所定のディスプレイによる文字の表示、警告音の発生、ホール関係者に持たせておいたバイブレーターの振動等、五感で検出できるものである限りどのような態様で行われても良い。
【００１２】
本願発明の外周枠固定装置は、前記下枠材との固定をなす固定手段を備えていてもよい。外周枠固定装置は外周枠のアームによる固定を行うものではあるが、アームによる固定は着脱自在なものであるから完璧を期すのは難しく、また、万が一外周枠がずれた場合には検出手段でそれを検出することができるようにはなっているものの、外周枠がずれない方が好ましいことは自明である。外周枠固定装置が固定手段を備えていれば、下枠材がずれる可能性を更に低減することができる。
【００１３】
前記固定手段は、どのような方法で下枠材を固定するものであっても構わないが、例えば、前記下枠材を一周する線状体を含むものであってもよい。
固定手段が線状体を備える場合、前記線状体は、その一端にループを備えているとともに、前記ベースには、前記線状体の他端付近を前記線状体を貫通させた状態で、前記線状体の前記他端方向への移動のみを許容しつつ保持する保持筒と、前記ループの中に挿入された状態で前記ループを係止する突出部とが設けられており、その先端に前記下枠材を一周させた前記線状体の先端の前記ループを前記突出部に係止させた状態で、前記線状体の他端を前記線状体の他端方向へ引くことによって、前記下枠材との固定がなされるようになっていてもよい。線状体により、簡単にした枠材を外周枠固定装置に固定できるようになる。
【図面の簡単な説明】
【００１４】
【図１】第１実施形態の施錠装置が取付けられた遊技機と当該遊技機が取付けられた島の構成を示す側断面図。
【図２】図１に示した島を島の内部後方から見た状態を示す斜視図。
【図３】図１に示した外周枠固定装置を前方から見た状態を示す斜視図。
【図４】図１に示した外周枠固定装置を後方から見た状態を示す斜視図。
【図５】図１に示した外周枠固定装置の側面図。
【図６】図１に示した外周枠固定装置に含まれるアジャスタ機構の構造を説明するためのベース体の側面図。
【図７】図１に示した外周枠固定装置に含まれる押圧体の側面図。
【図８】（Ａ）は、図１に含まれる外周枠固定装置に含まれる筒部材の構成を示す斜視図、同（Ｂ）は同分解斜視図。
【図９】図１に示した外周枠固定装置に含まれる筒部材の構成を示す破断図である。
【図１０】図１に示した外周枠固定装置に含まれるワイヤで外周枠の下枠材を固定した状態を示す図。
【発明を実施するための形態】
【００１５】
以下、本発明の好ましい一実施形態を、図面を参照しながら説明する。
【００１６】
図１、図２に、この実施形態による外周枠固定装置１が取付けられた島１００を示す。図１は、島１００を外部前方から見た状態を示す斜視図、図２は、島１００を内部から見た状態を示す斜視図である。なお、この実施形態で用いる前後の概念は、遊技機の前後に倣うものとする。
【００１７】
島１００は、多数の遊技機が取付けられる構造物である。島１００には、遊技機が複数、横並びに取付けられる。遊技機は外周枠２００に固定した状態で、島１００に取付けられる。なお、図１、図２では、遊技機の図示は省略している。また、遊技機の間には玉貸し機が一般に置かれるが、これの図示も省略した。
島１００は、これには限られないが、木製である。島１００は、ともに実質的に水平である上板１０１と下板１０２を備える。
上板１０１の前方には、実質的に垂直な飾り板１０３が配置されている。飾り板１０３には、呼び出しランプなどの必要な機器が取付けられる。
下板１０２には前方に張り出す張り出し板１０４が取付けられている。張り出し板１０４は下板１０２と一体の場合もあるが、いずれにせよ、下板１０２と、貼り出し板１０４の組合せにより、本願発明におけるテーブルとなる。下板１０２は遊技機２を載置するための板である。張り出し板１０４は、灰皿等を取付けるための板である。下板１０２の下方には、下板１０２よりも上の部材を支える部材が存在するが、それらの図示は、図１、図２では省略している。
外周枠２００は、下板１０２に載せられ、上板１０１と下板１０２に挟まれた状態で島１００に固定される。
【００１８】
外周枠２００は、４枚の板を矩形に組み合わせた形状をしており、この実施形態では木製である。必ずしも必要ではないが、この実施形態の外周枠２００はその前方に、化粧板２０１が取付けられている。
外周枠２００のうち、その最も下に位置する水平な板が下枠材２０２である。
【００１９】
外周枠固定装置１は、下板１０２に取付けられ、外周枠２００の下枠材２０２を固定する。この実施形態における外周枠固定装置１は、必ずしもこの限りではないが、図１、図２に示したように、左右に１つずつの２つを一対として用いることとしている。２つの外周枠固定装置１の構造は、左右対称に構成されていてもよく、同じでもよい。この実施形態では、２つの外周枠固定装置１の構造はともに同じである。以下、外周枠固定装置１の構成について説明する。
【００２０】
外周枠固定装置１の構成を、図３〜９に示す。
図３は、外周枠固定装置１を前方から見た状態を示す斜視図、図４は、外周枠固定装置１を後方から見た状態を示す斜視図、図５は、外周枠固定装置１の側面図、図６は、外周枠固定装置１に含まれるアジャスタ機構の構造を説明するためのベース体の側面図、図７は、外周枠固定装置１に含まれる後述の押圧体の側面図、図８（Ａ）は、外周枠固定装置１に含まれる後述の筒部材の構成を示す斜視図、同（Ｂ）は同分解図、図９は筒部材の構成を示す破断図である。
【００２１】
外周枠固定装置１は、平面視略矩形の金属製のベース体２を備えている。
ベース体２は、平面視略矩形の板状のベース板２１を備えている。
ベース板２１の適宜の位置には、貫通孔２１Ａ（図６参照）が穿たれている。この実施形態では貫通孔２１Ａは２つである。貫通孔２１Ａは、ベース板２１の下板１０２への固定をなすためのものである。例えば、貫通孔２１Ａを貫通させた木ねじを下板１０２に螺合させることによって、ベース体２の下板１０２への固定が実現される。ベース板２１の左右方向の略中央でやや後寄りの部分には、これも図示を省略の矩形の第１孔が設けられている。この第１孔は、ベース板２１を貫通している。
ベース板２１の前側の縁には、正面から見た場合に略矩形のベース板２１に対して鉛直な前板２２が接続されている。前板２２の正面から見て幅方向の略中心に位置する部分の上側の縁には、矩形の第１切欠２２Ａが、そしてその直下には図示を省略の第２切欠が設けられている。第２切欠は、前板２２の下方からベース板２１に跨った略Ｌ字型の切欠である。前板２２の前側から見て左側の下端には、矩形の孔である前ワイヤ孔２２Ｂが穿たれている。
【００２２】
ベース板２１には、また、図６に示したアジャスタ機構２３が設けられている。
アジャスタ機構２３は、ベース板２１にその下端が、また、前板２２に対してその先端がそれぞれ接続された互いに平行で且つ側面視で略矩形とされた２枚の支持板２３Ａと、この支持板２３Ａに挟まれた、略矩形のアジャスタ板２３Ｂとを備えている。アジャスタ板２３Ｂはその前方部分が前板２２の前方に位置するようになっている。それを可能とするため、前板２２にはアジャスタ板２３Ｂを通過させるための、図示を省略の通過切欠が設けられている。
アジャスタ板２３Ｂは外力により前後に移動できるようになっている。アジャスタ板２３Ｂの下方の縁には、ラチェット歯２３Ｃが切られている。ベース板２１の支持板２３Ａに挟まれた部分の所定の箇所には、ラチェット歯２３Ｃと噛み合うラチェット爪２３Ｄが設けられている。また、支持板２３Ａには、アジャスタ板２３Ｂを上側から下向きに常に付勢する、付勢バネ２３Ｅが設けられている。アジャスタ板２３Ｂの前方には、矩形の当接板２３Ｆが設けられている。当接板２３Ｆは、前板２２と平行である。
アジャスタ板２３Ｂの後方には開放レバー２３Ｇが設けられている。開放レバー２３Ｇは図示を省略するがその先端がアジャスタ板２３Ｂと接続されており、その後端を押し下げると付勢バネ２３Ｅの付勢力に抗してアジャスタ板２３Ｂを僅かに持ち上げるようになっている。アジャスタ板２３Ｂは、付勢バネ２３Ｅに下向きに付勢されている状態では、そのラチェット歯２３Ｃがラチェット爪２３Ｄに噛み合った状態となっており、前方への移動は許容されるものの後方への移動が制限される。
他方、アジャスタ板２３Ｂは、開放レバー２３Ｇの後端を押し下げることにより付勢バネ２３Ｅの付勢に抗して持ち上げられると、ラチェット歯２３Ｃとラチェット爪２３Ｄの噛み合いが解除されて、前後いずれの方向にも移動できるようになる。アジャスタ板２３Ｂはこのような機構により前後方向の適宜の位置に位置決め可能であり、したがって、アジャスタ板２３Ｂに接続された当接板２３Ｆは、前後方向の適宜の位置に位置決め可能である。      
【００２３】
上述した当接板２３Ｆの前側の面には、検出バネ２３Ｉが設けられている。また当接板２３Ｆの後方にはセンサ２３Ｈが設けられている。
検出バネ２３Ｉの上端は当接板２３Ｆにヒンジ接続されており、外力のかからない状態では、その下端が図３に示したように当接板２３Ｆの前面から離れた状態となっている。他方、検出バネ２３Ｉは当接板２３Ｆを何者かに当接させた場合には、その下端がその何者かに押されて当接板２３Ｆの前面に当接するか殆ど近接した状態となる。
センサ２３Ｈは、検出バネ２３Ｉの状態を検出するものである。センサ２３Ｈは検出バネ２３Ｉの状態を検出することにより、当接板２３Ｆの前面に何者かが当接しているか否かを検出するようになっている。この実施形態におけるセンサ２３Ｈはこのような仕組みにより、当接板２３Ｆの前面に当接していた何者かが当接板２３Ｆから離れたことを検出するものとなっている。
この実施形態におけるセンサ２３Ｈは、遊技機外、もっと言えば島１００外の適当な機器に接続されており、ホールの従業員は、センサ２３Ｈが当接板２３Ｆに当接していた物が当接板２３Ｆから離れたことを検出した場合、センサ２３Ｈからそのことを示す信号を受取ったその機器から、文字、図形、音、振動等による五感により検知可能な警告を受けとれるようになっている。上述の警告は、センサ２３Ｈが当接板２３Ｆに当接していたものが当接板２３Ｆから離れたことを検知したのと同時に行われるのが好ましく、また、例えばパーソナルコンピュータなどの適当なコンピュータに内蔵されたか接続された記録媒体に、上述の検出があった事実を示すデータがその検出が行われた時刻とともに記録されるのが好ましい。
【００２４】
ベース板２１の後側の縁近くには、挟持部２４が設けられている。挟持部２４は、平面視でコの字型に形成のコの字板２４Ａを備えている。コの字板２４Ａを形成する３枚の板のうちの平行な２枚の板には、同軸であり、ともに内周面にネジ切りのされた孔が設けられている。そして、それら２つの孔には、それら２つの孔を貫通させるようにしてボルト２４Ｂが螺合されている。ボルト２４Ｂは、軸周りに回転させることにより、挟持板２４Ａに対して前後動させることができるようになっている。したがって、ボルト２４Ｂの先端は、前板２２との距離を適宜に変更して位置決めすることができる。
なお、ボルト２４Ｂの先端をボルト２４Ｂの長さ方向に延長した直線は、平面視した場合、第１切欠２２Ａと、第２切欠に重なるようになっている。
【００２５】
外周枠固定装置１は、押圧体３を備えている。
押圧体３は、外周枠２００の下枠材２０２を押圧して固定する機能を有する。押圧体３はこの実施形態ではベース体２に対して、着脱自在とされている。
押圧体３は、１枚の板からなる鞍部３１、２枚の板からなる第１リンク板３２、１枚の板からなるレバー板３３、及び２枚の板からなる第２リンク板３４、及び第２リンク板３４の先端に設けられた先端部３５を備えている。
【００２６】
鞍部３１は、略矩形の上側の辺を凹ませた形状となっている。鞍部３１の前後方向の長さ（図７における左右方向の長さ）は、ベース板２１の前板２２から挟持部２４までの距離に略一致している。
鞍部３１の前側の縁には、矩形の第１係止部３１Ａと、これも矩形の第２係止部３１Ｂが張り出している。第１係止部３１Ａは上述した第１切欠２２Ａに、第２係止部３１Ｂは上述した第２切欠にそれぞれ対応した形状となっている。鞍部３１の下側の縁には、矩形の第３係止部３１Ｃが張り出している。第３係止部３１Ｃは、上述した第１孔に対応した形状となっている。
【００２７】
第１リンク板３２は、上述したように２枚の板からなる。第１リンク板３２を構成する２枚の板は側面視した場合に互いに重なり合うようになっている。第１リンク板３２は、その下端を鞍部３１に、その先端をレバー板３３にそれぞれビス３２Ａ、３２Ｂによって接続されている。ビス３２Ａは、鞍部３１を挟み込んだ状態となっている第１リンク板３２を鞍部３１ごと貫いており、ビス３２Ｂは、レバー板３３を挟み込んだ状態となっている第１リンク板３２をレバー板３３ごと貫いている。第１リンク板３２は、ビス３２Ａを軸として鞍部３１に対して回転可能となっており、また、ビス３２Ｂを軸としてレバー板３３に対して回転可能となっている。
レバー板３３は上述したその前側の端部と後側の端部のなす角が略９０°になるようにカーブさせられた板状体であり、その後側の端部には把持部３３Ａが設けられている。必ずしもこの限りではないが、把持部３３Ａは樹脂製である。
第２リンク板３４は、上述したように２枚の板からなる。第２リンク板３４を構成する２枚の板は側面視した場合に互いに重なり合うようになっている。第２リンク板３４を構成する２枚の板はともに、その前側の端部と後側の端部のなす角が略９０°になるようにカーブさせられており、且つそれらの前側の端部では、それらの間に先端部３５を取付けられるように後側の端部よりも大きな間隔が開けられている。第２リンク板３４は、その下端を鞍部３１に、その中間部分（カーブしている部分）をレバー板３３にそれぞれビス３４Ａ、３４Ｂによって接続されている。ビス３４Ａは、鞍部３１を挟み込んだ状態となっている第２リンク板３４を鞍部３１ごと貫いており、ビス３４Ｂは、レバー板３３を挟み込んだ状態となっている第２リンク板３４をレバー板３３ごと貫いている。第２リンク板３４は、ビス３４Ａを軸として鞍部３１に対して回転可能となっており、また、ビス３４Ｂを軸としてレバー板３３に対して回転可能となっている。
【００２８】
先端部３５は、上述したように、第２リンク板３４の先端に取付けられている。
先端部３５は、上下方向に延びるボルト３５Ａを備えている。ボルト３５Ａの下端には、３つの爪を有する爪部材３５Ｂが設けられている。詳細な構成は省略するが、先端部３５は第２リンク板３４の前後方向に移動可能であり、前後方向の位置を適当に位置決めして第２リンク板３４に対して固定することができるようになっている。また、ボルト３５Ａの先端部３５に対する上下位置はボルト３５Ａの回転により適当に位置決めすることが可能である。つまり、この実施形態では、爪部材３５Ｂの前後、上下の位置は、適当に位置決め可能となっている。
上述した鞍部３１、第１リンク板３２、レバー板３３、第２リンク板３４は、ビス３２Ａ、ビス３２Ｂ、ビス３４Ａ及びビス３４Ｂによる接続によりリンクされ、レバー板３３の把持部３３Ａを上下させることで、先端部３５を上下させられるようになっている。レバー板３３の把持部３３Ａを下げることにより、先端部３５が下がると、ボルト３５Ａの爪部材３５Ｂが、外周枠２００の下枠材２０２を上から押圧する。爪部材３５Ｂが備える爪は、このとき下枠材２０２に食い込む程度に硬くされている。他方、レバー板３３の把持部３３Ａを上げることにより、先端部３５が上がると、ボルト３５Ａの爪部材３５Ｂが、外周枠２００の下枠材２０２から離れる。
【００２９】
ベース板２１のアジャスタ機構２３が設けられているのと反対側の側部には、図８の分解図、図９の破断図に示した筒部材４が配されている。なお、図９では、後述する外筒はその全体において軸を通る平面で破断された状態が、後述する内筒は、図９の上半分において上記平面と同じ平面で破断された状態が示されている。
【００３０】
筒部材４は、ベース板２１の前後方向に亘る、ベース板２１に垂直に立てられた仕切り板４１の間に配されている。また、ベース板２１の仕切り板４１の後方には、これもベース板２１に対して垂直な後部板４２が立てられている。後部板４２には、この実施形態では円形の孔である後ワイヤ孔４２Ａが設けられており、その下側には下方に曲折させたフック４２Ｂが設けられている。後ワイヤ孔４２Ａは、必ずしもこの限りではないが、前ワイヤ孔２２Ｂと前後の位置関係に位置しており、後ワイヤ孔４２Ａと前ワイヤ孔２２Ｂはともに、外周枠固定装置１を正面から見た場合に、仕切り板４１の間に位置するようになっている。
筒部材４は、２枚の仕切り板４１と前板２２及び後部板４２で囲まれた空間に置かれている。
【００３１】
筒部材４は、筒状であり、その内部をワイヤ５０が貫通している。ワイヤ５０は、丈夫な線状体であれば足りる。ワイヤ５０は、その両端に、必ずしもこの限りではないがこの実施形態ではともにワイヤ５０を折り返して作ったループである前ループ５１と後ループ５２を備えている。前ループ５１は上記フック４２Ｂに引っ掛けられる程度の径となっており、後ループ５２はユーザが指をその中に入れるに適した程度の径となっている。
ワイヤ５０の先端は、前ワイヤ孔２２Ｂを通って前方に延びており、ワイヤ５０の後端は後ワイヤ孔４２Ａを通って後方に延びている。
ワイヤ５０は筒部材４に対して、所定の条件下で前方、後方に移動させることができるが、その条件については追って説明する。
【００３２】
筒部材４は、外筒４３、内筒４４、球４５、弾性バネ４６を備えて構成されている。
外筒４３は、筒状である。筒状とされた外筒４３の内部には内筒４４が挿入されるようになっている。外筒４３の外周面には溝４３Ａが切られている。溝４３Ａは外筒４３をユーザが把持し易やくするために設けられている。
外筒４３の内周面には、その前方に向けて徐々に内径が小さくなっていくようなテーパーの与えられたテーパー部４３Ｂが設けられている。テーパー部４３Ｂ後端のテーパー部４３Ｂが終わる部分より後ろの部分においては、外筒４３の内周面の径は一定となっている。
外筒４３の内周面の後端には、断面形状がリング状の係止部４３Ｃが設けられている。係止部４３Ｃの内側に開いた孔は、内筒４４の、後述する内筒後端部を案内するためのものであり、内筒後端部の外形よりも若干大きい程度の径となっている。
【００３３】
内筒４４は、筒状である。内筒４４は、前側から、円筒形の内筒先端部４４Ａ、円錐台形状である内筒中間部４４Ｂ、円筒形状で長い内筒後端部４４Ｃからなる。内筒先端部４４Ａは外筒４３の先端から前方に突出するようになっている。内筒後端部４４Ｃの後端は、内筒４４に特に外力を加えない場合には外筒４３の後端と略一致するようになっている。
内筒先端部４４Ａ、内筒中間部４４Ｂ、内筒後端部４４Ｃは同軸であり、且つその内部を、貫通孔４４Ｄで貫かれている。貫通孔４４Ｄは、内筒中間部４４Ｂの部分は図に示したように他の部分よりも大径となっているが、その他の部分においては、ワイヤ５０を前後にずらせる程度にワイヤ５０の径よりも幾らか大きい程度の一定の径とされている。なお、貫通孔４４Ｄは、すべての部分で一定の径とされていても構わない。
内筒４４の内筒中間部４４Ｂには、貫通孔４４Ｄと連通したこの実施形態では円形の孔である連通孔４４Ｅが穿たれている。連通孔４４Ｅにはそれぞれ、球４５が嵌っている。球４５の径は、ワイヤ５０から、外筒４３のテーパー部４３Ｂの所定の部分（これには限られないが、この実施形態では、テーパー部４３Ｂの前後方向の中程）までの距離に等しくなっている。
【００３４】
弾性バネ４６は一般的なコイルばねである。弾性バネ４６は、図９に示したように、内筒後端部４４Ｃの周囲に巻き付けたような状態で、外筒４３の内部空間に入れられている。弾性バネ４６は、その先端を内筒中間部４４Ｂと、内筒後端部４４Ｃが交わる部分にできるドーナツ状の面に当接させ、その後端を係止部４３Ｃの前面に当接させている。弾性バネ４６は圧縮されており、内筒４４に対して常に、内筒４４を前側に向かって押すような付勢力を与えている。
【００３５】
上述したようにワイヤ５０は、筒部材４に対して前方、後方に移動できる。その仕組は以下の通りである。
図９に示した筒部材４は通常の状態である。
この状態では、内筒４４は、弾性バネ４６により前側に付勢されている。内筒４４が前側に付勢されているこの状態では、内筒中間部４４Ｂに設けられた連通孔４４Ｅから覗いている球４５は前方に押しやられ、外筒４３のテーパー部４３Ｂに当接して軸方向に移動する。すると、３つの球４５は、ワイヤ５０を３方向から押圧する。この状態では、ワイヤ５０は前方に引いても前方には移動できない。なぜなら、ワイヤ５０を前方に引こうとすると、ワイヤ５０から摩擦力を受ける球４５は益々前方に移動しようとし、これにより球４５がワイヤ５０を押圧する力が益々大きくなるからである。他方、この状態で、ワイヤ５０を後ろに引くことは可能である。ワイヤ５０を後ろに引いた場合には、ワイヤ５０からの摩擦力を受ける球４５はワイヤ５０が後ろに引かれることにより後ろ向きの力を受け、内筒４４ともども弾性バネ４６の付勢力に抗して若干後ろに下がる。すると、その部分における外筒４４の内部空間の径は、図９に示した状態で球４５が当接していた部分におけるテーパー部４３Ｂの径よりも大きいので、球４５は外筒４３の内周面側に移動し、球４５によるワイヤ５０の押圧が解かれる。それ故、図９に示した状態でも、ワイヤ５０を後ろに引くことが可能なのである。
他方、内筒４４の内筒先端部４４Ａを外筒４３に向かって後方に押し込むと、ワイヤ５０は前方にも、後方にも引けるようになる。内筒先端部４４Ａを弾性バネ４６の付勢力に抗して外筒４３に対して相対的に後ろに下げると、球４５のワイヤ５０に対する押圧が解かれるからである。もっとも、上述したように、ワイヤ５０は内筒先端部４４Ａを外筒４３に向かって後方に押し込まなくても後方には移動できるのであるから、この操作は事実上、ワイヤ５０を前方に移動させたい場合にのみ行うことになる。
つまり、上述の筒部材４は、内筒先端部４４Ａを外筒４３に向かって後方に押し込むという特定の操作をしない限り、ワイヤ５０の移動方向を後方のみに規制するものであると言える。
【００３６】
次に、以上説明した外周枠固定装置１の使用方法を説明する。
外周枠固定装置１を使用するには、まず、ベース体２を下板１０２に固定する。ベース体２は、外周枠固定装置１で外周枠２００の固定を行えるようにすべく、外周枠２００の下枠材２０２が位置することが予定された位置の直後に外周枠固定装置１が位置するようにその位置を調整して、下板１０２へ固定する。ベース体２の下板１０２への固定は、例えば、貫通孔２１Ａを貫通させた木ねじを下板１０２に螺合させることによって行なう。
なお、ベース体２を下板１０２に固定する際には、押圧体３はベース体２に取付けられていても、取付けられていなくてもどちらでもよい。この実施形態では、押圧体３がベース体２に取付けられているものとして以下説明を行なう。
【００３７】
次に、アジャスタ機構２３の操作を行い、追って配する外周枠２００の位置を適当な位置に位置決めできるように予め準備を行う。
アジャスタ機構２３の操作は、当接板２３Ｆの位置を前後方向の適当な位置に位置決めすることにより行う。上述したように、アジャスタ板２３Ｂは、例えば当接板２３Ｆを摘むなどして前方への力をかけるとラチェット歯２３Ｃの歯のピッチずつ前方に移動させることが可能である。そのようにして、当接板２３Ｆを適当な位置に位置決めする。当接板２３Ｆが前方に来すぎた場合には、開放レバー２３Ｇの後端を押し下げることにより、アジャスタ板２３Ｂを後方にずらすことが可能となるので、一旦アジャスタ板２３Ｂを後方に押し下げてから当接板２３Ｆを再び前方にずらして、当接板２３Ｆの位置を適当に位置決めすればよい。
【００３８】
次いで、遊技機をその内側に嵌め込まれた外周枠２００を下板１０２の上に載置する。そのとき外周枠２００の下枠材２０２の後側の面が当接板２３Ｆの前面に当接するようにする。
すると、当接板２３Ｆの前面に位置する検出バネ２３Ｉはその下端が当接板２３Ｆの前面に当接するか殆ど近接した状態となる。
なお、この実施形態では、外周枠２００を下板１０２の上に載置する際に、図１、図２に示したように、外周枠２００の下枠材２０２の下を通してワイヤ５０を外周枠２００の前方に伸ばしておく。ワイヤ５０は、ワイヤ５０を下枠材２０２の前方で折り返し、下枠材２０２の上側を通して外周枠固定装置１のところまで戻って来たその前ループ５１を外周枠固定装置１のフック４２Ｂに引っ掛けることが可能な程度に、その先端を外周枠２００の前方に伸ばしておく。なお、この段階で前ループ５１をフック４２Ｂに引っ掛けてしまっても構わない。内筒４４の内筒先端部４４Ａを外筒４３に向かって後方に押し込むとワイヤ５０は、筒部材４に対して前側に移動できるようになるので、ワイヤ５０の前方の長さが足りない場合には、そのような操作を筒部材４に対して行えば良い。なお、内筒先端部４４Ａを外筒４３に向かって後方に押し込む操作を行う場合には、２枚の仕切り板４１と前板２２及び後部板４２で囲まれた空間から筒部材４を取出して行うとその操作を行いやすい。
【００３９】
次いで、外周枠固定装置１の押圧体３で外周枠２００を固定する。
外周枠固定装置１による外周枠２００の固定は、以下のようにして行う。なお、外周枠２００が下板１０２に載置された段階では、レバー板３３の把持部３３Ａは上がった状態となっている。外周枠固定装置１により外周枠２００を固定するには、レバー板３３の把持部３３Ａを下げる。そうすることにより、先端部３５が下がり、先端部３５に固定のボルト３５Ａの下端に設けられた爪部材３５Ｂが、外周枠２００の下枠材２０２を上から押圧する。このとき爪部材３５Ｂが備える爪は、下枠材２０２に食い込むから、外周枠固定装置１による外周枠２００の固定は強固なものとなる。
【００４０】
次に、ワイヤ５０を下枠材２０２の前方で折り返し、下枠材２０２の上側を通して外周枠固定装置１のところまで戻って来たその前ループ５１を外周枠固定装置１のフック４２Ｂに引っ掛ける。そして、その状態でワイヤ５０の後ループ５２に指を入れるなどして、ワイヤ５０を後方に強く引く。内筒４４の内筒先端部４４Ａを外筒４３に向かって後方に押し込む操作をしていようがいまいが、筒部材４に対してワイヤ５０を後方に相対的に移動させることは可能である。ワイヤ５０から手を離しても、３つの球４５によって筒部材４に対してワイヤ５０は固定される。このようにして、ワイヤ５０は、下枠材２０２を強固に固定する。ワイヤ５０は、筒部材４から、下枠材２０２を一周してフック４２Ｂまでを最短距離で結ぶような状態となる。ワイヤ５０で下枠材２０２を固定した状態を、図１０に示す。
なお、ワイヤ５０による下枠材２０２の固定を、押圧体３による下枠材２０２の固定に先んじて行っても良い。
【００４１】
このようにして、外周枠２００の下枠材２０２の下板１０２に対する固定が終了する。外周枠２００の他の部分、例えば上側の部材を島１００の適宜の部材（例えば上板１０１）に固定するなどして、外周枠２００及びそれに固定された遊技機の島１００への固定が終了する。
その状態で遊技機が使用できるようになる。
次の遊技機を島に取付ける場合には、以上の処理を繰り返せばよい。
【００４２】
その状態で、悪意のある遊技者が遊技機を揺らすなどして、外周枠２００が前方にずれたとする。すると、当接板２３Ｆにその下端が近接していた検出バネ２３Ｉの下端が当接板２３Ｆの前面から離れる。すると、センサ２３Ｈはそのことを示す信号を作成し、島１００外の適当な機器にその信号を送り、その信号を受取った機器は、当接板２３Ｆの前面から外周枠２００が離れたという警告を、どの遊技機でそれが起こったかという情報とともにホールの従業員に通知する。
ホールの従業員は、外周枠２００を元の位置に戻す、とりあえずその外周枠２００に固定された遊技機を使用不可能にする、等適当な処理を行えば良い。
【００４３】
遊技機を島に取付ける場合であって、遊技機等が外周枠固定装置１に干渉する場合には、以下のようにして、下板１０２に固定されたベース体２から押圧体３を取外す。
押圧体３をベース体２から取外すには、挟持部２４のボルト２４Ｂを軸周りに回転させ、ボルト２４Ｂの先端を後進させ、鞍部３１の後側の端部に当接していたボルト２４Ｂの先端を鞍部３１から離す。
そうすると、鞍部３１は、その第１係止部３１Ａがベース体２の第１切欠２２Ａに、その第２係止部３１Ｂがベース体２の第２切欠に、その第３係止部３１Ｃがベース体２の第１孔にそれぞれ嵌り合っているだけの状態となり、ベース体２から取外せるようになる。
押圧体３を上方に持ち上げるようにして、鞍部３１の第１係止部３１Ａをベース体２の第１切欠２２Ａから、鞍部３１の第２係止部３１Ｂをベース体２の第２切欠から、鞍部３１の第３係止部３１Ｃをベース体２の第１孔から抜き取ると、ベース体２から押圧体３を取外せる。
取外した押圧体３は、遊技機等に干渉しない適当な場所（島の内部でもそうでなくてもよい）に保管すればよい。押圧体３は、例えば、ベース体２の隣など、下板１０２の上の外周枠２００の後側の空きスペースに保管することも可能である。押圧体３の左右方向の厚さは、外周枠２００の下枠材２０２の厚さよりも小さいので、押圧体３を横倒しにして外周枠２００の後側の空きスペースに保管した場合、押圧体３が遊技機等と干渉することがない。
【００４４】
遊技機を更に取り替えることとなり押圧体３と遊技機等の干渉が生じなくなったことにより再び外周枠固定装置１を用いることとなった場合には、押圧体３をベース体２に再び取付ける。押圧体３のベース体２への取付けは、押圧体３をベース体２から取外すための上述の作業を、逆の手順で行なえばよい。
押圧体３をベース体２へ取付けた後の外周枠固定装置１の用い方は、既に説明した通りである。
【００４５】
外周枠２００を島１００から外す場合には、上述の処理と逆の処理を行い、押圧体３とワイヤ５０による外周枠２００の固定を解けば良い。
【符号の説明】
【００４６】
１  外周枠固定装置
２  ベース体
３  押圧体
４  筒部材
２１  ベース板
２２  前板
２３  アジャスタ機構
２３Ｆ  当接板
２３Ｈ  センサ
２３Ｉ  検出バネ
３１  鞍部
３２  第１リンク板
３３  レバー板
３４  第２リンク板
３５  先端部
３５Ａ  ボルト
３５Ｂ  爪部材
４２Ｂ  フック
４３  外筒
４４  内筒
４５  球
４６  弾性バネ
５０  ワイヤ
１００  島
１０２  下板
２００  外周枠
２０２  下枠材
【図１】
0005797490.tif 000002
【図２】
0005797490.tif 000003
【図３】
0005797490.tif 000004
【図４】
0005797490.tif 000005
【図５】
0005797490.tif 000006
【図６】
0005797490.tif 000007
【図７】
0005797490.tif 000008
【図８】
0005797490.tif 000009
【図９】
0005797490.tif 000010
【図１０】
0005797490.tif 000011